(57)【特許請求の範囲】
【請求項１】
左右一対の側板と、
台紙なしラベルを移送する移送ローラーと、
この移送ローラーにこの台紙なしラベルを押し付けるための押付けエレメントと、
この移送ローラーにより移送されてくる前記台紙なしラベルをさらに移送可能な移送用無端ベルトと、を有し、
この移送用無端ベルトを通って前記側板の外部に移送されてきた前記台紙なしラベルを貼り付けるための携帯式台紙なしラベル貼付け機の台紙なしラベル分離装置であって、
前記移送ローラー、前記押付けエレメントおよび前記移送用無端ベルトをプラテンフレームに組み込んでプラテンユニットとし、
このプラテンユニットの前記プラテンフレームに回動可能に設けるとともに、前記押付けエレメントにより前記移送ローラーに押し付けられていた前記台紙なしラベルを前記移送ローラーから分離可能な分離爪エレメント、を有し、
この分離爪エレメントは、前記移送ローラーと前記移送用無端ベルトとの間にこれを配置することを特徴とする携帯式台紙なしラベル貼付け機の台紙なしラベル分離装置。
【請求項２】
前記プラテンフレームは、前記分離爪エレメントが係脱可能な爪エレメント係脱部を形成してあることを特徴とする請求項１記載の携帯式台紙なしラベル貼付け機の台紙なしラベル分離装置。
【請求項３】
前記分離爪エレメントは、
前記移送ローラーから前記台紙なしラベルを分離可能な第１の姿勢と、
前記移送ローラーから離脱し、前記移送ローラーのまわりにおける前記台紙なしラベルの状態を確認可能な第２の姿勢との間に、回動可能であることを特徴とする請求項１または２記載の携帯式台紙なしラベル貼付け機の台紙なしラベル分離装置。
【請求項４】
前記分離爪エレメントは、
前記移送ローラーと前記移送用無端ベルトとの間において前記台紙なしラベルを前記移送ローラーから前記移送用無端ベルトに移行させることができるようにしていることを特徴とする請求項１ないし３のいずれかに記載の携帯式台紙なしラベル貼付け機の台紙なしラベル分離装置。
【請求項５】
前記分離爪エレメントは、
前記プラテンフレームにおいてこれをそのまわりに回動可能とする回動突起を有する爪エレメント本体と、
この爪エレメント本体から前記移送ローラーに向かって突出する左右一対の分離爪片と、
前記移送ローラーに形成した逆転防止凹部に係脱可能な逆転防止片と、
前記プラテンフレームに係脱可能な爪エレメント係脱片と、を有することを特徴とする請求項１ないし４のいずれかに記載の携帯式台紙なしラベル貼付け機の台紙なしラベル分離装置。
【請求項６】
前記移送ローラーは、
その円周部中央に位置するように形成した中央円周溝と、
この中央円周溝の左右に所定ピッチで突出形成した左右一対の移送用爪と、
この移送用爪の外周側に形成した左右一対の外周円周溝と、を有し、
この移送用爪を前記台紙なしラベルの移送用スリットに係脱可能としているとともに、
前記分離爪エレメントは、前記移送ローラーの前記外周円周溝の部位に臨むことができるようにしていることを特徴とする請求項１ないし５のいずれかに記載の携帯式台紙なしラベル貼付け機の台紙なしラベル分離装置。
【請求項７】
前記プラテンフレームは、前記側板に設けたプラテン開閉軸のまわりにこれを回動可能とすることを特徴とする請求項１ないし６のいずれかに記載の携帯式台紙なしラベル貼付け機の台紙なしラベル分離装置。
【請求項８】
左右一対の側板と、
台紙なしラベルを移送する移送ローラーと、
この移送ローラーにこの台紙なしラベルを押し付けるための押付けエレメントと、
この移送ローラーにより移送されてくる前記台紙なしラベルをさらに移送可能な移送用無端ベルトと、を有し、
この移送用無端ベルトを通って前記側板の外部に移送されてきた前記台紙なしラベルを貼り付けるための携帯式台紙なしラベル貼付け機の台紙なしラベル分離方法であって、
前記移送ローラー、前記押付けエレメントおよび前記移送用無端ベルトをプラテンフレームに組み込んでプラテンユニットとし、
このプラテンユニットの前記プラテンフレームに回動可能に設けるとともに、前記押付けエレメントにより前記移送ローラーに押し付けられていた前記台紙なしラベルを前記移送ローラーから分離可能な分離爪エレメントと、を有し、
この分離爪エレメントは、前記移送ローラーと前記移送用無端ベルトとの間にこれを配置して、
前記移送ローラーによる前記台紙なしラベルの移送にともなって、前記分離爪エレメントが前記台紙なしラベルを前記移送ローラーから分離することを特徴とする携帯式台紙なしラベル貼付け機の台紙なしラベル分離方法。
【発明の詳細な説明】
【技術分野】
【０００１】
本発明は携帯式台紙なしラベル貼付け機の台紙なしラベル分離装置および台紙なしラベル分離方法にかかるもので、とくに帯状の台紙なしラベルを装填して移送し、所望の被貼付け体に貼付け操作を行うための携帯式台紙なしラベル貼付け機の台紙なしラベル分離装置および台紙なしラベル分離方法に関するものである。
【背景技術】
【０００２】
従来から、携帯式ラベル貼付け機を用いて、各種商品その他の被貼付け体にラベルを貼り付け、商品の価格やその他必要な情報を表示することが行われている。
この携帯式ラベル貼付け機の使用にあたっては、ラベルをロール状に巻いた状態で、携帯式ラベル貼付け機における用紙ホルダーなどの保持部に装填保持するとともに、この用紙ホルダーからラベルを帯状に繰り出して、携帯式ラベル貼付け機内に挿通し、移送ないし印字可能な状態に装填する必要がある。
【０００３】
携帯式ラベル貼付け機に装填するラベルとしては、帯状のラベル基材と、このラベル基材の裏面に設けた粘着剤層と、ラベル基材の表面に設けた剥離剤層と、を有する一方、台紙を持たない台紙なしラベルがあり、台紙なしラベルは、台紙を持たないことから省資源にも寄与することができる。
この台紙なしラベルを装填して使用する携帯式台紙なしラベル貼付け機においては、機内に装填して移送する台紙なしラベルを移送ローラー部分に押付け部材を押し付けて係合させる機構、さらには、移送ローラー部分台紙なしラベルを確実に分離させることにより移送ローラーからつぎの（たとえば、下流側の移送用無端ベルトなど）部分に台紙なしラベルを移行させるための機構が必要である。
【０００４】
しかしながら、従来の携帯式台紙なしラベル貼付け機では、台紙なしラベルと移送ローラーとの間の分離機構の部品点数が多いとともに、分離機構自体の構造が複雑で、台紙なしラベルが内部においてジャミングした際のメンテナンス操作自体も手間がかかるという問題がある。
【０００５】
さらに、グリップおよび操作レバーを握持および解除して移送ローラーを所定ピッチで回動駆動して台紙なしラベルを移送する場合には、この握持および解除の操作にともなって移送ローラーの逆転を防止し、台紙なしラベルを一方向に安定して移送する機構も必要である。
【０００６】
なおまた、あらかじめ販売促進情報や広告情報などを印刷したラベルを貼り付ける際には、印字部を設けず、操作レバーの操作のみで、ラベルを貼り付けることができるが、このように構成した携帯式台紙なしラベル貼付け機のプラテンユニットの場合であっても、台紙なしラベルを移送ローラーから分離して、安定した移送を保証する必要があるという点については同様の問題がある。
【先行技術文献】
【特許文献】
【０００７】
【特許文献１】特開平８−１３３２５９号公報
【発明の概要】
【発明が解決しようとする課題】
【０００８】
本発明は以上のような諸問題にかんがみなされたもので、移送ローラー部分から台紙なしラベルを簡単に分離可能な携帯式台紙なしラベル貼付け機の台紙なしラベル分離装置および台紙なしラベル分離方法を提供することを課題とする。
【０００９】
また本発明は、比較的簡易な構成で台紙なしラベルのジャミング時などにおけるメンテナンス性を改善可能な携帯式台紙なしラベル貼付け機の台紙なしラベル分離装置および台紙なしラベル分離方法を提供することを課題とする。
【００１０】
また本発明は、簡単な操作で台紙なしラベルを移送ローラーから分離可能とし、さらにメンテナンス作業などを終了後に、分離機能を再度発揮可能に復帰させることが容易な携帯式台紙なしラベル貼付け機の台紙なしラベル分離装置および台紙なしラベル分離方法を提供することを課題とする。
【００１１】
また本発明は、移送ローラーの逆転を簡単な構成で防止可能としている携帯式台紙なしラベル貼付け機の台紙なしラベル分離装置および台紙なしラベル分離方法を提供することを課題とする。
【課題を解決するための手段】
【００１２】
すなわち本発明は、移送ローラー、押付けエレメントおよび移送用無端ベルトをプラテンユニットとして一体化するとともに、このプラテンフレームに分離爪エレメントを回動可能に取り付けることに着目したもので、第一の発明は、左右一対の側板と、台紙なしラベルを移送する移送ローラーと、この移送ローラーにこの台紙なしラベルを押し付けるための押付けエレメントと、この移送ローラーにより移送されてくる上記台紙なしラベルをさらに移送可能な移送用無端ベルトと、を有し、この移送用無端ベルトを通って上記側板の外部に移送されてきた上記台紙なしラベルを貼り付けるための携帯式台紙なしラベル貼付け機の台紙なしラベル分離装置であって、上記移送ローラー、上記押付けエレメントおよび上記移送用無端ベルトをプラテンフレームに組み込んでプラテンユニットとし、このプラテンユニットの上記プラテンフレームに回動可能に設けるとともに、上記押付けエレメントにより上記移送ローラーに押し付けられていた上記台紙なしラベルを上記移送ローラーから分離可能な分離爪エレメント、を有し、この分離爪エレメントは、上記移送ローラーと上記移送用無端ベルトとの間にこれを配置することを特徴とする携帯式台紙なしラベル貼付け機の台紙なしラベル分離装置である。
【００１３】
第二の発明は、左右一対の側板と、台紙なしラベルを移送する移送ローラーと、この移送ローラーにこの台紙なしラベルを押し付けるための押付けエレメントと、この移送ローラーにより移送されてくる上記台紙なしラベルをさらに移送可能な移送用無端ベルトと、を有し、この移送用無端ベルトを通って上記側板の外部に移送されてきた上記台紙なしラベルを貼り付けるための携帯式台紙なしラベル貼付け機の台紙なしラベル分離方法であって、上記移送ローラー、上記押付けエレメントおよび上記移送用無端ベルトをプラテンフレームに組み込んでプラテンユニットとし、このプラテンユニットの上記プラテンフレームに回動可能に設けるとともに、上記押付けエレメントにより上記移送ローラーに押し付けられていた上記台紙なしラベルを上記移送ローラーから分離可能な分離爪エレメントと、を有し、この分離爪エレメントは、上記移送ローラーと上記移送用無端ベルトとの間にこれを配置して、上記移送ローラーによる上記台紙なしラベルの移送にともなって、上記分離爪エレメントが上記台紙なしラベルを上記移送ローラーから分離することを特徴とする携帯式台紙なしラベル貼付け機の台紙なしラベル分離方法である。
【００１４】
上記プラテンフレームは、上記分離爪エレメントが係脱可能な爪エレメント係脱部を形成してあることができる。
【００１５】
上記分離爪エレメントは、上記移送ローラーから上記台紙なしラベルを分離可能な第１の姿勢と、上記移送ローラーから離脱し、上記移送ローラーのまわりにおける上記台紙なしラベルの状態を確認可能な第２の姿勢との間に、回動可能であることができる。
【００１６】
上記分離爪エレメントは、上記移送ローラーと上記移送用無端ベルトとの間において上記台紙なしラベルを上記移送ローラーから上記移送用無端ベルトに移行させることができるようにしていることができる。
【００１７】
上記分離爪エレメントは、上記プラテンフレームにおいてこれをそのまわりに回動可能とする回動突起を有する爪エレメント本体と、この爪エレメント本体から上記移送ローラーに向かって突出する左右一対の分離爪片と、上記移送ローラーに形成した逆転防止凹部に係脱可能な逆転防止片と、上記プラテンフレームに係脱可能な爪エレメント係脱片と、を有することができる。
【００１８】
上記移送ローラーは、その円周部中央に位置するように形成した中央円周溝と、この中央円周溝の左右に所定ピッチで突出形成した左右一対の移送用爪と、この移送用爪の外周側に形成した左右一対の外周円周溝と、を有し、この移送用爪を上記台紙なしラベルの移送用スリットに係脱可能としているとともに、上記分離爪エレメントは、上記移送ローラーの上記外周円周溝の部位に臨むことができるようにしていることができる。
【００１９】
上記プラテンフレームは、上記側板に設けたプラテン開閉軸のまわりにこれを回動可能とすることができる。
【発明の効果】
【００２０】
本発明による携帯式台紙なしラベル貼付け機の台紙なしラベル分離装置および台紙なしラベル分離方法においては、移送ローラー、押付けエレメントおよび移送用無端ベルトをプラテンフレームに組み込んでプラテンユニットとするとともに、このプラテンフレームに分離爪エレメントを回動可能に取り付けるようにしたので、押付けエレメントにより移送ローラーに押し付けられていた台紙なしラベルを分離爪エレメントにより移送ローラーから強制的に分離することができ、移送ローラーから移送用無端ベルトに台紙なしラベルを確実に移送することができるとともに、メンテナンス作業も容易である。
【００２１】
とくに第一の発明の携帯式台紙なしラベル貼付け機の台紙なしラベル分離方法によれば、台紙なしラベルを移送ローラーから分離するための分離爪エレメントをプラテンフレームに回動可能に設けたので、この分離爪エレメントのセットおよび開放が容易であり、単純な構成で台紙なしラベルを移送ローラーから確実に分離可能である。
【００２２】
とくに第二の発明の携帯式台紙なしラベル貼付け機の台紙なしラベル分離方法によれば、移送ローラーによる台紙なしラベルの移送にともなって、分離爪エレメントにより台紙なしラベルを移送ローラーから分離するようにしたので、移送ローラーによる台紙なしラベルの移送を確実かつ安定して行うことができる。
【図面の簡単な説明】
【００２３】
【図１】本発明の実施例による台紙なしラベル分離装置９（図４）を装備した携帯式台紙なしラベル貼付け機１の側面図である。
【図２】同、用紙ホルダー４およびプラテンユニット６を開放した状態の側面図である。
【図３】同、一方の側板２を取り除いた状態の概略側面図である。
【図４】同、プラテンユニット６および台紙なしラベル分離装置９の分解斜視図である。
【図５】同、プラテンユニット６における台紙なしラベル分離装置９、移送ローラー１８および押付けエレメント１９の斜視図である。
【図６】同、台紙なしラベル３を装填した状態のプラテンユニット６における台紙なしラベル分離装置９、移送ローラー１８および押付けエレメント１９の斜視図である。
【図７】同、プラテンユニット６における台紙なしラベル分離装置９を開放した状態の斜視図である。
【図８】同、プラテンユニット６における台紙なしラベル分離装置９を開放した状態の縦断面図である。
【図９】同、台紙なしラベル３を装填した状態のプラテンユニット６における台紙なしラベル分離装置９、移送ローラー１８、押付けエレメント１９および移送用無端ベルト２３の、分離爪片５３部分における縦断面図である。
【図１０】同、台紙なしラベル３を装填した状態のプラテンユニット６における台紙なしラベル分離装置９、移送ローラー１８、押付けエレメント１９および移送用無端ベルト２３の、逆転防止片５４部分における縦断面図である。
【発明を実施するための形態】
【００２４】
本発明は、プラテンユニットにおいて、移送ローラーと移送用無端ベルトとの間に分離爪エレメントを配置するようにしたので、単純な構成で移送ローラー部分から台紙なしラベルを簡単に分離可能な携帯式台紙なしラベル貼付け機の台紙なしラベル分離装置および台紙なしラベル分離方法を実現した。
【実施例】
【００２５】
つぎに本発明の実施例による携帯式台紙なしラベル貼付け機の台紙なしラベル分離装置および台紙なしラベル分離方法を図１ないし図１０にもとづき説明する。
図１は、携帯式台紙なしラベル貼付け機１の側面図、図２は、同、用紙ホルダー４およびプラテンユニット６を開放した状態の側面図、図３は、同、一方の側板２を取り除いた状態の概略側面図、図４は、プラテンユニット６および台紙なしラベル分離装置９の分解斜視図である。
携帯式台紙なしラベル貼付け機１は、左右（紙面表裏）一対の側板２と、台紙なしラベル３の用紙ホルダー４と、操作レバー５と、プラテンユニット６と、印字器７と、貼付けローラー８と、台紙なしラベル分離装置９（図４）と、を有する。
【００２６】
左右一対の側板２は、操作者が握持可能なグリップ１０を一体に形成するとともに、このグリップ１０に対してレバー軸１１（図３）のまわりに操作レバー５を回動操作可能としている。
なお、操作レバー５とグリップ１０との間には、任意の付勢部材、たとえばコイルスプリング１２を設けて、操作レバー５をグリップ１０に対して、図１に示すような常時（操作レバー５の解放時）離反状態に付勢可能としている。
操作者は、コイルスプリング１２の付勢力に抗してグリップ１０および操作レバー５を握持して携帯式台紙なしラベル貼付け機１内のプラテンユニット６および印字器７を駆動するとともに、この握持操作を解放後、携帯式台紙なしラベル貼付け機１の貼付けローラー８による台紙なしラベル３の貼付け操作を行うことになる。
【００２７】
台紙なしラベル３は、これをロール状に巻いて用紙ホルダー４に保持するとともに、操作レバー５の操作にともなって、プラテンユニット６により印字器７方向に台紙なしラベル３を帯状に繰り出し、プラテンユニット６の先端部でプラテンユニット６から台紙なしラベル３を分離し、貼付けローラー８により台紙なしラベル３を被貼付け体（図示せず）に貼り付け可能とする。ただし、台紙なしラベル３には所定ピッチで移送用スリット３Ａなどを形成し、プラテンユニット６上を移送する際に、任意の切断分離ユニット（図示せず）により、帯状の台紙なしラベル３から単葉のラベル片３Ｂとすることができる。
【００２８】
用紙ホルダー４は、側板２の上面に設けたホルダー軸１３のまわりに側板２に対して開閉回動可能とした断面半円弧状のホルダーカバー１４と、このホルダーカバー１４の内部に設けたラベル保持軸１５と、側板２への固定用フック１６（図２）と、を有し、ラベル保持軸１５にロール状の台紙なしラベル３を装填保持可能としてある。
【００２９】
とくに図４に示すように、プラテンユニット６は、用紙ホルダー４から帯状に繰り出された台紙なしラベル３をその上面に移送するもので、プラテンフレーム１７と、移送ローラー１８と、押付けエレメント１９と、を有し、台紙なしラベル分離装置９により移送ローラー１８から台紙なしラベル３を分離可能とする。
【００３０】
プラテンフレーム１７は、側板２に設けたプラテン開閉軸２０のまわりにこれを回動可能とし、側板２に対してプラテンユニット６全体を開閉し、台紙なしラベル３の挿通装填を可能とする。
プラテンフレーム１７は、駆動ギア２１および従動ギア２２と、これら駆動ギア２１および従動ギア２２のまわりに掛け回した移送用無端ベルト２３と、を備えており、駆動ギア２１が移送ローラー１８のローラーギア２４に係合する。
移送用無端ベルト２３は、移送ローラー１８により移送されてくる台紙なしラベル３をさらに移送可能であって、その表面は、台紙なしラベル３の裏面（糊面）が接触移送されるため、非粘着性の物性を有するシリコーンあるいはフッ素系のゴム材からこれを構成するか、剥離剤などを塗布しておく。また、このプラテンユニット１７に組み込まれた移送用無端ベルト２３は、印字器７による台紙なしラベル３への押印動作の受け台ともなるもので、その内方において印字器７に対向する受圧用プレート２３Ａ（図８）を配置してある。
なお、プラテンフレーム１７の先端側の左右には、一対の係脱ローラー２５を突出形成し、側板２に設けた開閉用つまみ２６（図１、図２）に連動してつまみ軸２７（図３）のまわりに回動する開閉用係脱片２８の係脱用凹部２８Ａに係脱可能としてある。ただし、つまみ軸２７には任意のバネ材（図示せず）を設けて、開閉用係脱片２８が係脱ローラー２５に係合する方向にこれを付勢している。
すなわち、開閉用つまみ２６は、係脱ローラー２５に係脱する開閉用係脱片２８を操作して、プラテンユニット６と開閉用係脱片２８とを互いに係脱可能としている。
【００３１】
移送ローラー１８は、プラテンフレーム１７に設けたローラー軸２９のまわりに移送方向に所定ピッチでこれを回転可能としてある。
操作レバー５のレバー軸１１の下方部に延びる連結アーム３０の連結軸３１に、移送回動用爪３２を往復動可能に取り付けてあり、この移送回動用爪３２が移送ローラー１８におけるローラーギア２４の側面に放射状に設けた複数個の移送用突起３３それぞれに係脱可能である。
なお、連結軸３１には、連結ガイドプレート３４を取り付けて、連結ガイドプレート３４の左右先端部の連結突起３５をプラテンフレーム１７の底部におけるガイド溝３６内に往復摺動可能に嵌め込み、操作レバー５の握持およびその解放にともなう連結軸３１および移送回動用爪３２の往復作動を保証している。
【００３２】
かくして、操作レバー５をグリップ１０とともに握持および解放することにより、連結アーム３０、移送回動用爪３２およびローラーギア２４などを介してローラー軸２９のまわりに移送ローラー１８を所定ピッチだけ回転して台紙なしラベル３を移送可能とするとともに、移送ローラー１８のローラーギア２４と駆動ギア２１との連結係合により移送用無端ベルト２３を回転させて台紙なしラベル３をその上面に移送可能である。
【００３３】
さらに移送ローラー１８は、その中央円周溝３７の左右に所定ピッチで左右一対の移送用爪３８を突出形成し、移送用爪３８の外周側に左右一対の外周円周溝３９を形成してあり、この移送用爪３８を台紙なしラベル３の移送用スリット３Ａに係脱可能としている。
なお、操作レバー５には、その先端側に二股状のヨーク部５Ａを有し、このヨーク部５Ａに印字器７（図１）を取り付けている。
【００３４】
図５は、プラテンユニット６における台紙なしラベル分離装置９、移送ローラー１８および押付けエレメント１９の斜視図、図６は、台紙なしラベル３を装填した状態のプラテンユニット６における台紙なしラベル分離装置９、移送ローラー１８および押付けエレメント１９の斜視図、図７は、プラテンユニット６における台紙なしラベル分離装置９を開放した状態の斜視図、図８は、プラテンユニット６における台紙なしラベル分離装置９を開放した状態の縦断面図である。
押付けエレメント１９は、移送ローラー１８に台紙なしラベル３を押し付けるためのものであり、エレメントフレーム４０と、上下左右二対のバックアップローラー４１と、バックアップローラー４１の間で中央に位置するバックアップリング４２と、ねじりコイルバネ４３（図５）および左右一対の板バネ４４と、を有する。
ねじりコイルバネ４３および左右一対の板バネ４４は、プラテンユニット６が開閉用係脱片２８から離脱したときに、移送ローラー１８と押付けエレメント１９とを互いに離反させる付勢部材として機能し、押付けエレメント１９から移送ローラー１８を離反させ、その間に台紙なしラベル３を挿通可能とする間隙４５（図３）を形成可能とする。
ただし、プラテンフレーム１７は、係脱ローラー２５と開閉用係脱片２８との係合により、ねじりコイルバネ４３および板バネ４４の付勢力に抗して側板２にこれを固定可能としている。
なお、エレメントフレーム４０は、プラテンフレーム１７の外壁面に設けたエレメント軸４６（図４）のまわりにプラテンフレーム１７に対してこれを回動可能としてあり、プラテンユニット６において押付けエレメント１９に対してプラテンフレーム１７を相対的に開閉可能としている。また、エレメントフレーム４０は、バックアップローラー４１およびバックアップリング４２を取り付ける上下一対の回転軸４７を有する。
【００３５】
バックアップローラー４１およびバックアップリング４２は、台紙なしラベル３の裏面（糊面）が接触移送されるため、非粘着性の物性を有するシリコーンあるいはフッ素系のゴム材からこれを構成するか、剥離剤などを塗布しておくもので、台紙なしラベル３を移送ローラー１８側に押し付け可能である。
また、バックアップローラー４１およびバックアップリング４２は、台紙なしラベル３の糊面に線接触するため、糊面との粘着力を極力小さくすることができるとともに、所定のバネ弾性をもった押付けが可能である。
バックアップローラー４１は、移送ローラー１８の移送用爪３８の外周部の外周円周溝３９に接触回転するとともに、バックアップリング４２が、移送ローラー１８の移送用爪３８の内周部の中央円周溝３７に接触回転することにより、移送ローラー１８と押付けエレメント１９との間に台紙なしラベル３を挟持しつつ、また、移送用爪３８が台紙なしラベル３の表面側からその移送用スリット３Ａに係合し移送ローラー１８の回転によって台紙なしラベル３を移送用無端ベルト２３上に送り出す。
【００３６】
ねじりコイルバネ４３は、移送ローラー１８と押付けエレメント１９との間において、間隙４５からは側方にずれた位置に設けたバネ取付け軸（図示せず）にこれを取り付けてあり、プラテンフレーム１７（プラテンユニット６）全体を押付けエレメント１９に対して常時開放方向（図３）に付勢する。
板バネ４４は、移送ローラー１８とは反対側のエレメントフレーム４０の背面にこれを取り付け、操作レバー５のレバー軸１１部分に当接して、ねじりコイルバネ４３と協動して、プラテンフレーム１７（プラテンユニット６）全体を押付けエレメント１９に対して常時開放方向（図３）に付勢する。
【００３７】
印字器７は、操作レバー５における二股状のヨーク部５Ａの先端部側にこれを取り付け、インキローラー４８（図１）により印字器７の活字にインキを塗布し、プラテンユニット６における移送用無端ベルト２３の上面に移送されてきた台紙なしラベル３（ラベル片３Ｂ）に所定の情報を印字する。
【００３８】
貼付けローラー８は、側板２の先端下方部に位置し、プラテンユニット６における移送用無端ベルト２３の先端部分で移送用無端ベルト２３から剥離されたラベル片３Ｂを、携帯式台紙なしラベル貼付け機１全体の貼付け操作にともなって、貼付けローラー８によるラベル片３Ｂを被貼付け体に貼り付ける。
すなわち、貼付けローラー８は、側板２の端部（図１中、左端下方端部）に位置するとともに、その円周部の一部が側板２の外部に露出しており、側板２の外部に排出するようにプラテンユニット６およびその移送用無端ベルト２３を通って側板２の外部に移送されてきたラベル片３Ｂを、貼付けローラー８を被貼付け体に打ち付けるようにして回転させることにより、被貼付け体に貼り付け可能とする。
【００３９】
とくに図４に示すように、台紙なしラベル分離装置９は、プラテンユニット６のプラテンフレーム１７に回動可能に設けた分離爪エレメント４９を有する。
分離爪エレメント４９は、移送ローラー１８と移送用無端ベルト２３との間にこれを配置するとともに、押付けエレメント１９により移送ローラー１８に押し付けられていた台紙なしラベル３を移送ローラー１８から確実に分離可能とし、移送ローラー１８と移送用無端ベルト２３との間において台紙なしラベル３を移送ローラー１８から移送用無端ベルト２３に移行させることができるようにしている。
【００４０】
具体的に、分離爪エレメント４９は、左右一対の回動アーム５０およびその間の横断アーム５１を有する爪エレメント本体５２と、横断アーム５１から移送ローラー１８に向かって突出形成した左右一対の分離爪片５３と、分離爪片５３に対してほぼ直角方向に分離爪片５３の間に形成した逆転防止片５４と、回動アーム５０の基部に弾性的に形成した爪エレメント係脱片５５と、を有する。
【００４１】
分離爪エレメント４９は、プラテンユニット６のプラテンフレーム１７においてこれをそのまわりに回動可能な回動突起５６を回動アーム５０の先端部に有する。
すなわち、プラテンフレーム１７におけるローラー軸２９近傍には、回動用凹部５７を形成してあり、この回動用凹部５７に回動突起５６が係合し、この回動突起５６のまわりにおいて、分離爪エレメント４９が、移送ローラー１８から台紙なしラベル３を分離可能な第１の姿勢（図５および図６を参照）と、移送ローラー１８から離脱し、移送ローラー１８のまわりにおける台紙なしラベル３の状態を確認可能な第２の姿勢（図７および図８を参照）との間に、回動可能である。
【００４２】
図９は、台紙なしラベル３を装填した状態のプラテンユニット６における台紙なしラベル分離装置９、移送ローラー１８、押付けエレメント１９および移送用無端ベルト２３の、分離爪片５３部分における縦断面図、図１０は、台紙なしラベル３を装填した状態のプラテンユニット６における台紙なしラベル分離装置９、移送ローラー１８、押付けエレメント１９および移送用無端ベルト２３の、逆転防止片５４部分における縦断面図である。
とくに図１０に示すように、逆転防止片５４は、移送ローラー１８の中央円周溝３７に移送爪３８と同じ所定ピッチで形成した逆転防止凹部５８それぞれに係脱可能である。
爪エレメント係合片５５は、プラテンフレーム１７に形成した爪エレメント係脱孔部５９（爪エレメント係脱部）に弾性的に係脱可能であって、分離爪エレメント４９の上記第２の姿勢を解除可能にロックする。
【００４３】
既述のように、移送ローラー１８の移送用爪３８を台紙なしラベル３の移送用スリット３Ａに係脱可能としているとともに、分離爪エレメント４９の分離爪片５３は、移送ローラー１８の外周円周溝３９の部位、ないしは、外周円周溝３９と押付けエレメント１９におけるバックアップローラー４１との間に臨むことができるようにしているとともに、分離付け片５３の先端部は、移送用爪３８と移送用スリット３Ａとの係合部位より上流側に位置可能としている。
【００４４】
こうした構成の携帯式台紙なしラベル貼付け機１および台紙なしラベル分離装置９において、開閉用つまみ２６を操作し、開閉用係脱片２８の係脱用凹部２８Ａと係脱ローラー２５との間の係合を解除することにより、プラテンユニット６を側板２に対して開放すると、板バネ４４を介してレバー軸１１ないしは側板２からの反力を受けて、ねじりコイルバネ４３が押付けエレメント１９から移送ローラー１８部分を離反させ、移送ローラー１８と押付けエレメント１９との間が最大限に開いて間隙４５が形成される。
したがって、移送ローラー１８の円周部における中央円周溝３７、移送用爪３８および外周円周溝３９と、押付けエレメント１９のバックアップローラー４１およびバックアップリング４２との間に形成される間隙４５の部分に台紙なしラベル３の先頭部を挿通することができる。
ついで、プラテンユニット６を図１の状態に閉鎖して、開閉用係脱片２８の係脱用凹部２８Ａと係脱ローラー２５とを係合させ、操作レバー５およびグリップ１０を何回か握持して、台紙なしラベル３の移送用スリット３Ａに移送用爪３８を係合させれば、台紙なしラベル３の移送を可能として装填を完了する。
【００４５】
プラテンユニット６を閉鎖した状態の携帯式台紙なしラベル貼付け機１において、操作レバー５およびグリップ１０を握持することにより、印字器７が移送用無端ベルト２３上の台紙なしラベル３に印字を行うとともに、移送回動用爪３２が移送ローラー１８におけるローラーギア２４の移送用突起３３から隣りの（図３中、右側の）移送用突起３３側に移行し、ついで操作レバー５の解放によって、移送回動用爪３２がこの移送用突起３３を前方に（図３中、左方向に）回動させて、移送ローラー１８を所定ピッチで回動して台紙なしラベル３を移送する。
さらに移送ローラー１８に係合している駆動ギア２１が回動することにより移送用無端ベルト２３を回動させて、その上面の台紙なしラベル３を側板２の外方に送り出し可能とする。
移送用無端ベルト２３の先頭部（下流側）において側板２の外方に送り出された台紙なしラベル３のラベル片３Ｂを貼付けローラー８により所定の被貼付け体に貼り付けることができる。
【００４６】
なお、上述した、操作レバー５およびグリップ１０の握持により、移送回動用爪３２が移送ローラー１８におけるローラーギア２４の移送用突起３３から隣りの（図３中、右側の）移送用突起３３側に移行する際に、とくに図１０に示すように、分離爪エレメント４９の逆転防止片５４が、移送ローラー１８の逆転防止凹部５８に係合しているので、移送ローラー１８が図１０中、反時計方向には回動（逆転）することがなく、移送ローラー１８による台紙なしラベル３の安定した移送を保証している。
もちろん、操作レバー５およびグリップ１０の解放により移送ローラー１８が時計方向（移送方向）に回動する際に、逆転防止片５４はつぎの逆転防止凹部５８に移行して係合することになる。
【００４７】
さらに台紙なしラベル分離装置９により、移送ローラー１８における左右一対の外周円周溝３９と台紙なしラベル３との間には、分離爪エレメント４９の左右一対の分離爪片５３がそれぞれ位置しているので（第１の姿勢）、移送ローラー１８の移送用爪３８と係合して分離爪片５３の部分まで移送されてきた台紙なしラベル３は、その表面側が分離爪片５３の底面に接触しつつ、移送用爪３８から台紙なしラベル３の移送用スリット３Ａが離脱する結果、移送用爪３８から強制的に分離され、移送用無端ベルト２３上に移行することになる。
移送ローラー１８のローラーギア２４と、移送用無端ベルト２３の駆動ギア２１との係合回転により、移送用無端ベルト２３上の台紙なしラベル３はさらに従動ギア２２方向に向かって移送されることになる。
【００４８】
また、移送ローラー１８と移送用無端ベルト２３との間において台紙なしラベル３がジャミングしたり、あるいは、そのまわりの部品や機構への糊の付着などを除去清掃する作業その他のためにメンテナンスが必要なときには、図７および図８に示すように、台紙なしラベル分離装置９における分離爪エレメント４９（回動アーム５０）を回動突起５６のまわりに上方へ引っ張り上げるように回動開放して、移送ローラー１８と移送用無端ベルト２３との間から退避させて第２の姿勢とし、すなわち、分離爪エレメント４９を簡単にその作動位置から解除して、移送ローラー１８のまわりにおける台紙なしラベル３の状態を確認可能とするとともに、糊が付着した部分の必要な清掃その他の作業を行うことができる。
【００４９】
かくして、上述のような簡単な構成の台紙なしラベル分離装置９により、移送ローラー１８における台紙なしラベル３の移送およびその移送用無端ベルト２３への移行を確実に行うことができるとともに、必要なときには、内部のメンテナンスを容易に実行可能である。
【符号の説明】
【００５０】
１  携帯式台紙なしラベル貼付け機（図１）
２  左右一対の側板
３  台紙なしラベル
３Ａ  台紙なしラベル３の移送用スリット
３Ｂ  台紙なしラベル３の単葉のラベル片
４  用紙ホルダー
５  操作レバー
５Ａ  操作レバー５の二股状のヨーク部
６  プラテンユニット（図４）
７  印字器
８  貼付けローラー
９  携帯式台紙なしラベル貼付け機１の台紙なしラベル分離装置（実施例、図４、図６、図７）
１０  グリップ
１１  レバー軸
１２  コイルスプリング
１３  ホルダー軸
１４  ホルダーカバー
１５  ラベル保持軸
１６  固定用フック
１７  プラテンフレーム（図４）
１８  移送ローラー
１９  押付けエレメント（図４）
２０  プラテン開閉軸
２１  駆動ギア
２２  従動ギア
２３  移送用無端ベルト
２３Ａ  移送用無端ベルト２３内方の受圧用プレート（図８）
２４  ローラーギア
２５  係脱ローラー
２６  開閉用つまみ
２７  つまみ軸
２８  開閉用係脱片
２８Ａ  開閉用係脱片２８の係脱用凹部
２９  ローラー軸
３０  連結アーム
３１  連結軸
３２  移送回動用爪
３３  移送ローラー１８の移送用突起
３４  連結ガイドプレート
３５  連結突起
３６  プラテンフレーム１７の底部におけるガイド溝
３７  中央円周溝
３８  左右一対の移送用爪
３９  左右一対の外周円周溝
４０  エレメントフレーム
４１  上下左右二対のバックアップローラー
４２  バックアップリング
４３  ねじりコイルバネ
４４  左右一対の板バネ
４５  移送ローラー１８と押付けエレメント１９との間の間隙（図７）
４６  エレメント軸
４７  上下一対の回転軸
４８  インキローラー
４９  分離爪エレメント（図４）
５０  左右一対の回動アーム
５１  横断アーム
５２  爪エレメント本体
５３  左右一対の分離爪片
５４  逆転防止片
５５  左右一対の爪エレメント係合片
５６  左右一対の回動突起
５７  左右一対の回動用凹部
５８  逆転防止凹部
５９  爪エレメント係脱孔部（爪エレメント係脱部）
【図１】
0005507301.tif 000002
【図２】
0005507301.tif 000003
【図３】
0005507301.tif 000004
【図４】
0005507301.tif 000005
【図５】
0005507301.tif 000006
【図６】
0005507301.tif 000007
【図７】
0005507301.tif 000008
【図８】
0005507301.tif 000009
【図９】
0005507301.tif 000010
【図１０】
0005507301.tif 000011